(57)【要約】【課題】収納容器の内部の写真と収納容器を識別するための識別情報とを一致させることができる収納容器を提供する。【解決手段】底面部２と側面部３とを有するとともに、上方に開口４を有し、開口４が蓋部５により閉塞可能となっている収納容器１であり、側面部３には、収納容器１を識別可能な識別情報を表示可能な情報表示面６０を備えた表示片６が設けられており、表示片６は、情報表示面６０が側面部３に沿う状態と情報表示面６０が略水平に起立した状態とで切換可能になっている。【選択図】図５
2019048663.tif 000002
【特許請求の範囲】
【請求項１】
底面部と側面部とを有するとともに、上方に開口を有し、該開口が蓋部により閉塞可能となっている収納容器であり、
前記側面部には、前記収納容器を識別可能な識別情報を表示可能な情報表示面を備えた表示片が設けられており、
前記表示片は、前記情報表示面が前記側面部に沿う状態と前記情報表示面が略水平に起立した状態とで切換可能になっていることを特徴とする収納容器。
【請求項２】
前記表示片が設けられる側面部は、複数枚の板部が重合されて構成されており、前記複数枚のうちの１枚の前記板部に前記表示片が形成されていることを特徴とする請求項１に記載の収納容器。
【請求項３】
前記表示片が形成されている板部に対して外側に重合する板部には、前記収納容器の内側と外側とに貫通する孔部が形成されており、前記表示片は、前記情報表示面が略水平に起立した状態で前記孔部に支持されることを特徴とする請求項２に記載の収納容器。
【請求項４】
前記表示片が形成されている板部の外側に重合する板部には、係止部が形成されており、前記表示片には前記係止部に係止可能な被係止部が設けられていることを特徴とする請求項２または３に記載の収納容器。
【請求項５】
前記表示片が形成されている板部には、前記収納容器の内側に内側係止部が形成されており、前記表示片には前記内側係止部に係止可能な被係止部が設けられていることを特徴とする請求項２または３に記載の収納容器。
【請求項６】
前記収納容器は、板状の合成樹脂により形成されていることを特徴とする請求項１ないし５のいずれかに記載の収納容器。
【発明の詳細な説明】
【技術分野】
【０００１】
本発明は、内部に収納された物品を管理する際に用いられる収納容器に関する。
【背景技術】
【０００２】
従来、物品の整理には収納容器が用いられ、これら収納容器は複数個積み重ねる等してまとめて保管されている。収納容器の利用者は、収納容器の表面に物品に関する情報を記載する等して、収納容器同士を識別するようにしているが、収納容器の内部に収納された物品に関する情報を全て正確に記載することは困難かつ煩雑な作業であった。
【０００３】
そこで、収納容器の内部をカメラにて撮影しておき、撮影された画像を確認することで、どの収納容器に所望の物品が収納されているかを検索することが一般に行われている（例えば特許文献１）。例えば、収納容器の内部をカメラで撮影するとともに、各収納容器を判別できる数字や文字などの識別情報を収納容器自体に記載しておき、当該撮影した写真のファイル名を識別情報とすることで、撮影された写真と当該写真のファイル名とを確認して、どの収納容器に所望の物品が収納されているかを検索することができる。
【先行技術文献】
【特許文献】
【０００４】
【特許文献１】実用新案登録第３１８８６９８号公報（第７頁、第２図）
【発明の概要】
【発明が解決しようとする課題】
【０００５】
しかしながら、このような検索方法にあっては、例えば、収納容器に記載した識別情報の誤記や撮影した写真のファイル名の誤記等の人為的なミスがあった場合には、収納容器の内部の写真と、収納容器を識別するための識別情報とが一致せず、所望の物品の収納された収納容器を探し出せないという問題が発生する虞があった。
【０００６】
本発明は、このような問題点に着目してなされたもので、収納容器の内部の写真と収納容器を識別するための識別情報とを一致させることができる収納容器を提供することを目的とする。
【課題を解決するための手段】
【０００７】
前記課題を解決するために、本発明の収納容器は、
底面部と側面部とを有するとともに、上方に開口を有し、該開口が蓋部により閉塞可能となっている収納容器であり、
前記側面部には、前記収納容器を識別可能な識別情報を表示可能な情報表示面を備えた表示片が設けられており、
前記表示片は、前記情報表示面が前記側面部に沿う状態と前記情報表示面が略水平に起立した状態とで切換可能になっていることを特徴としている。
この特徴によれば、表示片の情報表示面を略水平に起立した状態とすることで、撮像装置により収納容器の内部を撮影する際に、収納容器の内部に収納された物品と情報表示面とを同時に一枚の写真に収めることができ、かつ情報表示面を側面部に沿わせた状態とすることで、保管された収納容器の側面部から情報表示面を確認して、収納容器を識別することができる。これによれば、保管された収納容器の側面部から確認できる情報表示面と同じ情報表示面が収納された物品とともに写真に収められるため、収納容器の内部の写真と収納容器を識別するための識別情報とを正確に一致させることができる。
【０００８】
前記表示片が設けられる側面部は、複数枚の板部が重合されて構成されており、前記複数枚のうちの１枚の前記板部に前記表示片が形成されていることを特徴としている。
この特徴によれば、表示片を略水平に起立させることで板部本体に形成される孔が、他の重合された板部によって塞がれるため、物品を収納容器内に留めることができるとともに、収納容器の側面部の強度を確保することができる。
【０００９】
前記表示片が形成されている板部に対して外側に重合する板部には、前記収納容器の内側と外側とに貫通する孔部が形成されており、前記表示片は、前記情報表示面が略水平に起立した状態で前記孔部に支持されることを特徴としている。
この特徴によれば、側面部を構成する外側の板部に形成された孔部に表示片を支持させることで、手で持たずとも情報表示面を略水平に起立させた状態で保持させることができ、収納容器の内部に収納された物品と情報表示面とを容易に一枚の写真に収めることができる。
【００１０】
前記表示片が形成されている板部の外側に重合する板部には、係止部が形成されており、前記表示片には前記係止部に係止可能な被係止部が設けられていることを特徴としている。
この特徴によれば、表示片の被係止部を係止部に係止されることで、情報表示面が側面部に沿う状態を保持でき、保管された収納容器の側方から情報表示面を確認し易い。
【００１１】
前記表示片が形成されている板部には、前記収納容器の内側に内側係止部が形成されており、前記表示片には前記内側係止部に係止可能な被係止部が設けられていることを特徴としている。
この特徴によれば、側面部を構成する内側の板部に形成された内側係止部に表示片の被係止部を支持させることで、収納容器の内側で情報表示面が略水平に起立した状態を保持でき、収納容器の内部に収納された物品と情報表示面とを容易に一枚の写真に収めることができる。
【００１２】
前記収納容器は、板状の合成樹脂により形成されていることを特徴としている。
この特徴によれば、表示片は合成樹脂により形成されているため、情報表示面を側面部に沿う状態と情報表示面を略水平に起立した状態とに切り替える際の耐屈曲疲労性に優れる。
【図面の簡単な説明】
【００１３】
【図１】実施例における収納容器を示す斜視図であり、（ａ）は開口を閉塞した状態、（ｂ）は開口を開放した状態を示す図である。
【図２】収納容器の展開図を示す平面図である。
【図３】開口を開放した状態の収納容器の上面図である。
【図４】（ａ）は、表示片が収納容器の内側に位置した状態を示す斜視図であり、（ｂ）は断面図である。
【図５】（ａ）は、表示片が収納容器の外側で略水平に起立した状態で保持された状態を示す斜視図であり、（ｂ）は断面図である。
【図６】（ａ）は、表示片が側面に沿う状態で保持された状態を示す斜視図であり、（ｂ）は断面図である。
【図７】（ａ）は、表示片が収納容器の内側で略水平に起立した状態で保持された状態を示す斜視図であり、（ｂ）は断面図である。
【図８】収納容器の変形例を示す図であり、（ａ）は、表示片が側面に沿う状態で保持された状態を示す断面図であり、（ｂ）は、表示片が略水平に起立した状態で保持された状態を示す断面図である。
【発明を実施するための形態】
【００１４】
本発明に係る収納容器を実施するための形態を実施例に基づいて以下に説明する。
【実施例】
【００１５】
実施例に係る収納容器につき、図１〜図７を参照して説明する。
【００１６】
収納容器１は、内部に収納された物品をコンピュータ等で管理する管理システムに用いられる収納容器である。本実施例における管理システムは、収納容器１の内部に収納された物品をカメラにて撮影し、コンピュータ上で撮影された写真と収納容器１と対応付けることで、収納容器１を開封せずとも収納容器１の内部に収納された物品を把握できるようにするシステムである。
【００１７】
図１（ａ）及び（ｂ）に示されるように、収納容器１は、底面部２と側面部３とを有するとともに、上方に開口４を有し、開口４が蓋部５により開閉可能となっている。また、図２に示される展開図のように、収納容器１は、一枚の合成樹脂製の板体が折曲されて組み立てられている。
【００１８】
側面部３は４方に起立する第１側面部３Ａ，第２側面部３Ｂ，第３側面部３Ｃ，第４側面部３Ｄから成り、第２側面部３Ｂには後に詳述する表示片６を備えている。
【００１９】
図１及び図２に示されるように、収納容器１を構成する合成樹脂製の板体は、溝２０により各板部にそれぞれ区画されている。溝２０は、プレス加工により板体が押圧変形して形成されている。尚、溝２０は各板部単位で折曲し易くするために設けられており、例えばミシン目やハーフカットでもよい。
【００２０】
第１側面部３Ａは板部７で構成され、第３側面部３Ｃは板部９で構成され、第４側面部３Ｄは板部１０でそれぞれ構成されている。表示片６が設けられる第２側面部３Ｂは、板部８と板部１１とが重合されて構成されており、組み立てられた収納容器１の内側に位置する板部１１に表示片６が形成されている。表示片６は、板部１１に形成された切込により一つの辺６ａを残して板部本体１１ａより切り離され略矩形状に形成されている。表示片６は、接続された辺６ａと自由端６ｂとの間に溝６ｃ，６ｄとが形成されており、この溝６ｃ，６ｄに誘導されて表示片６が屈曲させやすくなっている。また、溝６ｃと溝６ｄとの間には、連結片６ｅが形成されている。尚、溝６ｃよりも自由端６ｂ側の板部６ｆにおける表面が収納容器を識別できる識別情報を表示可能な情報表示面６０として機能するようになっている。
【００２１】
図２及び図３に示されるように、底面部２は、板部１２，１３，１４，１５と、第２側面部３Ｂを構成する板部１１と連続する板部１６と、が組まれて構成されている。蓋部５は、第４側面部３Ｄを構成する板部１０と連続する板部１７と板部１８とにより構成されている。
【００２２】
板部１９Ａ，１９Ｂは、それぞれ開口４を閉じた状態における蓋部５の形状安定を補助するとともに、板部１８を第２側面部３Ｂとで保持する保持片を構成している。
【００２３】
収納容器１は、底面部２が組まれるとともに、第１側面部３Ａを構成する板部７と第４側面部３Ｄを構成する板部１０とが接続されることで箱形状となっている。板部７と板部１０とは、第４側面部３Ｄを構成する板部１０に連続する板部２１，２１が、第１側面部３Ａを構成する板部７に連続する板部２２と板部７との境界付近に形成された切込２２ａ，２２ａにそれぞれ挿入固定されることで接続されている。
【００２４】
表示片６が設けられる第２側面部３Ｂを構成する収納容器１の内側に位置する板部１１と収納容器１の外側に位置する板部８との間には、溝２０，２０にて区画された連結片２３が形成されている。連結片２３は、図４（ｂ）に示されるように、組み立て後の収納容器１において厚みを備える板部８と板部１１とが略平行に重合するためのスペーサとして機能している。
【００２５】
板部８と連結片２３とに渡って幅方向の略中央に孔２４が形成されており、蓋部５を構成する板部１８が組み上げられた収納容器１の内側に入り込むとともに、板部１８に形成された挿入片１８ａが孔２４に嵌入されることで、開口４の閉塞時に、蓋部５が開かない状態に保持できるようになっている。
【００２６】
図４に示されるように、第２側面部３Ｂを構成し、収納容器１の外側に位置する板部８には、収納容器１の内側と外側とに貫通する孔部８ａが形成されている。図４（ｂ）に示されるように、収納容器１が組み上げられた状態において、表示片６に形成された溝６ｄと孔部８ａとが略同じ高さ位置となるように形成されており、図５（ａ）及び（ｂ）に示されるように、孔部８ａを通して表示片６の板部６ｆを外側に引出し、情報表示面６０を露出させることができる。
【００２７】
また、図５（ｂ）に示されるように、表示片６の板部６ｆは、孔部８ａの下面８ｂの上に支持される。これによれば、収納容器１の外側において第２側面部３Ｂに対して略垂直に起立した状態に保持される。つまり情報表示面６０が略水平に起立した状態に保持される。尚、表示片６は合成樹脂で形成されていることに加え、孔部８ａに支持される板部６ｆより自由端側には後述する被係止部６ｇが溝２０によって区画されているのみであるため、板部６ｆが孔部８ａの外部で垂れ下がり難く、情報表示面６０を略水平に起立させた状態を維持できるようになっている。
【００２８】
また、第２側面部３Ｂを構成し、収納容器１の外側に位置する板部８には、板部８を貫通する係止孔（係止部）８ｃが形成されており、表示片６の自由端を構成する端部には係止孔８ｃに係止可能な被係止部６ｇが突設されている。図４（ｂ）に示されるように、板部８に形成された孔部８ａと係止孔８ｃとの高さ方向の距離は、表示片６の溝６ｄと、板部６ｆと被係止部６ｇとの境界との距離とより若干短い長さに形成されている。そのため、孔部８ａを通して収納容器１の外側に引出された表示片６の連結片６ｅが孔部８ａ内に位置し、孔部８ａを通して収納容器１の外側に引出された表示片６の板部６ｆは、被係止部６ｇが係止孔８ｃに係止されることで、第２側面部３Ｂに沿った状態に保持される。つまり情報表示面６０が第２側面部３Ｂに沿った状態に保持される。
【００２９】
また、第２側面部３Ｂを構成し、収納容器１の内側に位置する板部１１には、表示片６より上方に係止孔（内側係止部）１１ｂが形成されており、図７に示されるように、表示片６を情報表示面６０が上方を向くように溝６ｃ，６ｄで折り、収納容器１の内側に位置する表示片６の被係止部６ｇを係止孔１１ｂに係止させることで、表示片６を収納容器１の内側において第２側面部３Ｂに対して略垂直に起立した状態に保持される。つまり、情報表示面６０が略水平に起立させた状態に保持される。
【００３０】
続いて、収納容器１の内部に収納された物品をコンピュータ等で管理する管理システムを利用する際の収納容器１の使用態様について説明する。
【００３１】
カメラにより収納容器１の内部を撮影する際には、図５に示されるように、表示片６の板部６ｆを収納容器１の外側において第２側面部３Ｂに対して略直角に起立した状態に保持させる。もしくは、図７に示されるように、表示片６の板部６ｆを収納容器１の内側において第２側面部３Ｂに対して略直角に起立した状態に保持させる。この状態で収納容器１を真上から撮影することで、略水平に保持された板部６ｆにおける情報表示面６０と、収納容器１に収納された物品とを同時に一枚の写真に収めることができる。そのため、写真に収められた情報表示面６０に記載された識別情報をコンピュータ内に複数保存された写真内から見つけ出し、その写真に写っている当該収納容器１に収納された物品を確認することができる。
【００３２】
また、図６に示されるように、収納容器１は、孔部８ａを通して外側に引出された表示片６の被係止部６ｇを係止孔８ｃに係止させ、板部６ｆを第２側面部３Ｂに沿った状態で保持させることができる。これによれば、利用者は、情報表示面６０が見えるように載置、積み上げられる等して保管された収納容器１の側方から第２側面部３Ｂに沿った状態で保持された板部６ｆの情報表示面６０を確認し易い。
【００３３】
また、上記構造から、写真を撮る際に表示される情報表示面６０と保管時に表示される情報表示面６０とが同じであるため、情報表示面６０に記載される識別情報の振り間違いが発生することがなく、収納容器１の内部の写真と収納容器１を識別するための識別情報とを正確に一致させることができる。
【００３４】
また、図５に示されるように、表示片６を収納容器１の外側で保持させると、識別情報の記載された板部６ｆが収納された物品の邪魔にならず、収納量を確保できるとともに、写真撮影時においても板部６ｆが物品の撮影の邪魔になることがない。
【００３５】
一方で、図７に示されるように、表示片６を収納容器１の内側で保持させると、写真の画角一杯に収納容器１の内側を収めて撮影ができるため、収納された物品及び情報表示面６０に記載された識別情報を写真閲覧時に確認し易い。
【００３６】
また、第２側面部３Ｂは、板部８と板部１１とが重合されて構成されており、そのうちの１枚の板部１１に形成された切込により区画されて表示片６が形成されている。そのため、表示片６の板部６ｆを略水平に起立させることで板部本体１１ａに形成される孔が、重合された板部８によって塞がれるため、物品を収納容器１内に留めることができるとともに、収納容器１の第２側面部３Ｂの強度を確保することができる。
【００３７】
また、収納容器１は、板状の合成樹脂により形成されているため、情報表示面６０を備える板部６ｆを第２側面部３Ｂに沿う状態と第２側面部３Ｂに対して略直角に起立した状態とに切り替える際の耐屈曲疲労性に優れる。また、滑らかな表面を有することから識別情報の記載に用いる顔料を情報表示面６０から除去しやすく、識別情報の書き直しが可能である。
【００３８】
以上、本発明の実施例を図面により説明してきたが、具体的な構成はこの実施例に限られるものではなく、本発明の要旨を逸脱しない範囲における変更や追加があっても本発明に含まれる。
【００３９】
例えば、前記実施例において表示片６が設けられる第２側面部３Ｂは、板部８と板部１１の２枚を重合させて構成されているが、これに限らず、例えば表示片を第２側面部３Ｂに沿う状態と第２側面部３Ｂに対して略直角に起立した状態とで、それぞれ保持させる構造を別途設けることで、第２側面部３Ｂ自体は、１枚の板部により構成されていてもよい。
【００４０】
また、前記実施例において表示片６は、組み立て後の収納容器１の内側に位置する板部１１に形成される構成で説明したが、これに限らず、例えば図８に示されるように、組み立て後の収納容器１００の外側に位置する板部８０に表示片６１を形成し、内側に位置する板部１１０に表示片６１を収納容器１の内部に引き入れる孔部１１０ａを形成してもよい。図８に示される構造では、表示片６１は板部８０に形成された切込により下端側の１辺を残して板部本体より切り離されて略矩形状に形成されており、上端側が揺動可能な自由端となっている。
【００４１】
また、表示片６を第２側面部３Ｂに沿う状態と第２側面部３Ｂに対して略直角に起立した状態とで、それぞれ保持させる構造は前記実施例の構造に限らず、例えば第２側面部３Ｂに略直角に起立させた表示片の下方に足場を配置する等してもよいし、第２側面部３Ｂに沿わせた表示片は粘着性のテープ等で第２側面部３Ｂに固定する等してもよい。更に、表示片６に設けられる被係止部６ｇは、第２側面部３Ｂに沿う状態とする用途と、第２側面部３Ｂに対して略直角に起立した状態とする用途とに、それぞれ別々に設けられてもよい。
【００４２】
また、第２側面部３Ｂを構成する板部８の孔部８ａを略ヘの字状に形成し、表示片６の板部６ｆを孔部８ａの形状に折り曲げて収納容器１の外部に引き出すようにすることで、表示片６の板部６ｆが孔部８ａの外部で垂れ下がり難く、情報表示面６０を略水平に起立させた状態を維持できるようにしてもよい。
【００４３】
また、収納容器１は、合成樹脂に限らず、紙やダンボール等で構成されていてもよいし、２枚以上の板体を接着して構成されていてもよい。
【００４４】
また、収納容器１が利用される管理システムは、前記実施例の構成に限らず、例えばスマートフォンにインストールされた専用のアプリケーションで構成されてもよく、当該アプリケーションで情報表示面６０に記載された識別情報が自動的に読み込まれるようにしてもよい。
【００４５】
識別情報は例えば番号などでもよいし、絵柄や２次元バーコード等でもよいし、情報表示面６０に直接記載される態様に限らず、例えば識別情報が印刷された粘着シールが情報表示面６０に貼着される態様であってもよい。
【００４６】
また、情報表示面を透光性を有する素材で形成することで、表側と裏側とのいずれからも識別情報を確認できるようにしてもよい。
【符号の説明】
【００４７】
１                収納容器
２                底面部
３（３Ａ〜３Ｄ）  側面部
４                開口
５                蓋部
６                表示片
６ｅ              連結片
６ｆ              板部
６ｇ              被係止部
８                板部
８ａ              孔部
８ｂ              孔部下面
８ｃ              係止孔（係止部）
１１              板部
１１ｂ            係止孔（係止部）
２０              溝
２３              連結片
６０              情報表示面
【図１】
2019048663.tif 000003
【図２】
2019048663.tif 000004
【図３】
2019048663.tif 000005
【図４】
2019048663.tif 000006
【図５】
2019048663.tif 000007
【図６】
2019048663.tif 000008
【図７】
2019048663.tif 000009
【図８】
2019048663.tif 000010